(57)【要約】【課題】建物の入口前において、通行の妨げにならずメンテナンスが容易な地這虫の侵入を防止する装置を、安価に提供すること。【解決手段】建物の入口３前のグラウンド６に、前記入口３を囲うように、地這虫１の侵入を妨げる地這虫侵入防止溝１０が設けられている。前記地這虫侵入防止溝１０は、幅の寸法は地這虫１が渡れず落ちてしまう値であって、深さ及び摩擦係数は該地這虫侵入防止溝１０に落ちた地這虫１が再び這い上がってくることができない値に設定されている。【選択図】図１
2006296323.tif 000002
【特許請求の範囲】
【請求項１】
建物の入口前のグラウンドに、前記入口を囲うように、地這虫の侵入を妨げる地這虫侵入防止溝が設けられていることを特徴とする、地這虫侵入防止装置。
【請求項２】
請求項１において、前記地這虫侵入防止溝は、幅の寸法は地這虫が渡れず落ちてしまう値であって、深さ及び摩擦係数は該地這虫侵入防止溝に落ちた地這虫が再び這い上がってくることができない値に設定されていることを特徴とする、地這虫侵入防止装置。
【請求項３】
請求項１又は２において、前記地這虫侵入防止溝が、前記入口前のグラウンドに設けられたスロープ又はステップ等に設けられていることを特徴とする、地這虫侵入防止装置。
【請求項４】
請求項３において、前記地這虫侵入防止溝には、スロープ又はステップの側辺にまで到達する連通溝が設けられていることを特徴とする、地這虫侵入防止装置。
【請求項５】
請求項３において、前記地這虫侵入防止溝は、前記スロープ又はステップ等の全幅に渡って設けられていることを特徴とする、地這虫侵入防止装置。
【請求項６】
請求項１〜５のいずれか１項において、前地這記虫侵入防止溝は、溝断面の形状がＵ字型であることを特徴とする、地這虫侵入防止装置。
【請求項７】
請求項６において、前記地這虫侵入防止溝は、溝断面の開口部の幅が底面の幅よりも狭まっていることを特徴とする、地這虫侵入防止装置。
【請求項８】
請求項１〜７のいずれか１項において、前記地這虫侵入防止溝は、ステンレス材でできていることを特徴とする、地這虫侵入防止装置。
【発明の詳細な説明】
【技術分野】
【０００１】
本発明は、建物の入口前において、地這虫が這って入口まで到達し、建物内に侵入できないような地這虫侵入防止装置に関するものである。
【背景技術】
【０００２】
建物入口にシャッターを用いている場合、シャッターの構造上生じるわずかな隙間から、虫が侵入してしまう。特に倉庫等においては、保管している品への異物混入防止のため、このような虫の侵入に対して対策が必要とされている。図１０は建物入口からの虫の侵入経路を示した模式図である。ここで、問題となる虫の侵入方法は大きく分けて二通りある。ハエ、ガ、ハチ等の羽を有している飛翔虫７が飛来して、シャッター上部の隙間８から侵入する場合と、アリ、ムカデ、ダンゴムシ等の地這虫１が地面を這って、シャッターと床面の隙間５から侵入する場合である。
【０００３】
飛翔虫７等に対しては、入口３上部に捕虫器・捕虫灯９を設置する方法が一般的である。一方、地這虫１等に対しては、粘着補虫シートを用いる、害虫防除剤を用いる、又は、室内外の気圧差を用いるなどの方法が採られている。（特許文献１、特許文献２、特許文献３参照）。
【０００４】
【特許文献１】特開２００２−２７２３４５号公報
【特許文献２】特開２００３−２４６７０７号公報
【特許文献３】特開平６−９０６４９号公報
【発明の開示】
【発明が解決しようとする課題】
【０００５】
しかしながら、粘着補虫シートによる捕虫法では、粘着補虫シートが人やフォークリフトや台車などの通行の妨げになり、また、シート等を頻繁に交換しなければならず、取り扱いが煩雑である問題があった。また、害虫防除剤を用いた防虫法では薬剤の人体への毒性や殺虫効果の持続性の点が問題となる。室内外の気圧差を用いた方法では、薬剤による人体への影響はないが、特別な装置を必要とし、装置の導入や維持にコストがかかってしまう。
【０００６】
そこで、本発明の課題は、建物の入口前において、通行の妨げにならずメンテナンスが容易な地這虫の侵入を防止する装置を、安価に提供することにある。
【課題を解決するための手段】
【０００７】
上記課題を解決するため、本発明の第１の態様に係る地這虫侵入防止装置は、建物の入口前のグラウンドに、前記入口を囲うように、地這虫の侵入を妨げる地這虫侵入防止溝が設けられていることを特徴とする。
【０００８】
本発明によれば、地這虫は入口に到達するために、必ず地這虫侵入防止溝を渡らなくてはならず、前記地這虫が溝に達した際、進行方向を変えるため入口への侵入が防止される。また、そのまま該地這虫が進行しても地這虫侵入防止溝に落ちてしまい、該地這虫侵入防止溝を上ることができないため、入口へ到達することはできない。本発明では、薬剤を用いないため、人体および環境へ全く影響を及ぼさずに地這虫の侵入を防ぐことができる。  
即ち、構造が単純で施工が容易なため、低コストで導入が可能であり、メンテナンスは溝内を掃除するだけなので、薬剤を追加したり、シートを交換したりといった継続的なメンテナンス費用を必要としない。
【０００９】
また、地這虫の侵入を防止するためには、凸状の地這虫侵入防止壁を設けることも可能であるが、凸状の壁は人、台車及びフォークリフト等の通行の妨げにもなる。本発明では溝によって地這虫の侵入を妨げるため、人、台車及びフォークリフト等の通行の妨げになるような段差は生じない。
【００１０】
本発明の第２の態様に係る地這虫侵入防止装置は、第１の態様において、前記地這虫侵入防止溝は、幅の寸法は地這虫が渡れず落ちてしまう値であって、深さ及び摩擦係数は、該地這虫侵入防止溝に落ちた地這虫が再び這い上がってくることができない値に設定されていることを特徴とする。本発明によれば、第１の態様による作用効果を構造簡単にして実現できる。溝は地這虫が落ちる程度の幅に設定するため、人や台車、フォークリフトが通過する際の妨げとならない。
【００１１】
本発明の第３の態様に係る地這虫侵入防止装置は、第１または第２の態様において、前記地這虫侵入防止溝が、前記入口前のグラウンドに設けられたスロープ又はステップ等に設けられていることを特徴とする。本発明によれば、入口前にスロープやステップ等がある場合でも、グラウンドに設置する場合と同様に施工し、入口直前で効率良く地這虫の侵入を阻止することができる。
【００１２】
本発明の第４の態様に係る地這虫侵入防止装置は、第３の態様において、前記地這虫侵入防止溝には、スロープ又はステップの側辺にまで到達する連通溝が設けられていることを特徴とする。本発明によれば、溝に落ちた虫や溝に溜まった塵埃等の溝内の異物を、溝の両端の側辺開口部からほうき等で掻き出し、容易にメンテナンスを行うことができる。また、雨が降った際や、水で該地這虫侵入防止溝を清掃した際に連通溝から水が排出され、溝に水が溜まることがない。
【００１３】
本発明の第５の態様に係る地這虫侵入防止装置は、第３の態様において、前記地這虫侵入防止溝は、前記スロープ又はステップ等の全幅に渡って設けられていることを特徴とする。本発明によれば、前記地這虫侵入防止溝が前記スロープ又はステップ等の全幅に渡っているため、連通溝がスロープ又はステップの両側辺に設けられていることとなり、該スロープ又はステップ等の幅が大きくても、溝内の異物の掃き出し口となる連通溝までの距離が短くなるため、溝内の清掃が容易である。また、雨が降った際等に水が速やかに排出され易い。
【００１４】
本発明の第６の態様に係る地這虫侵入防止装置は、第１から第５のいずれかの態様において、前記地這虫侵入防止溝は、溝断面の形状がＵ字型であることを特徴とする。本発明によれば、構造単純にして効果的に虫の侵入を防ぐことができる。また、Ｕ字型の溝の形状は一般的で、成型が容易であるため、コストが抑えられる。更に、Ｕ字型の溝は、溝内の視認性が良く、溝内に異物があれば直ぐに気づき、メンテナンスを行うことができる。
【００１５】
本発明の第７の態様に係る地這虫侵入防止装置は、第６の態様において、前記地這虫侵入防止溝は、溝断面の開口部の幅が底面の幅よりも狭まっていることを特徴とする。本発明によれば、溝に落ちた虫が這い上がるためには、オーバーハングしている面を上らなければならないので、一度溝に落ちた虫が再び溝を上ってくることが困難となる。また、Ｕ字型の溝と同様に形が単純なので、溝の成型も容易である。更に、溝下部より溝上部が狭まっているため、コンクリート等に該地這虫侵入防止溝をユニット化して埋設固定した際には、その底面部がアンカーとなって外れにくい。
【００１６】
本発明の第８の態様に係る地這虫侵入防止装置は、第１から第７のいずれかの態様において、前記地這虫侵入防止溝は、ステンレス材でできていることを特徴とする。本発明によれば、地這虫侵入防止装置は主に屋外に設置されるため、風雨にさらされるが、ステンレス材を用いれば腐食に強く錆にくいため、長期間使用が可能である。また、一般的にステンレスの表面は平滑であるため、特別な加工を施さずとも地這虫が滑り易い摩擦係数を有する溝として利用できる。
【発明の効果】
【００１７】
本発明によれば、建物の入口前に地這虫侵入防止溝を有する地這虫侵入防止装置を設けることによって、構造単純にして安価で効果的に地這虫の侵入を防止できる。また、薬剤を使わないため人体や自然界にも影響を与えず、交換が必要な器具も使わないため、溝内の清掃など、簡単なメンテナンスだけで長期間効果が継続し、維持費がほとんどかからない。
【発明を実施するための最良の形態】
【００１８】
以下、本発明を図示の実施形態に基づいて説明する。図１は本発明の第１実施形態の斜視図であり、図２は本発明の第１実施形態に係る地這虫侵入防止溝の断面図であり、図３は平面における地這虫侵入防止装置の施工法の断面図であり、図４は地這虫が地這虫侵入防止溝によって進行を妨げられる様子を示した作用説明図である。
【００１９】
本発明の第１実施形態の地這虫侵入防止装置２は、建物の入口３前において、図１に示すように入口３前のグラウンド６に入口３を囲うように、地這虫１の侵入を妨げる地這虫侵入防止溝１０が設けられているものである。
【００２０】
本実施の形態では、前記地這虫侵入防止溝１０にはステンレス材が使用され、該地這虫侵入防止溝１０は入口３を一連に囲うよう溶接固定されたＵ字の溝体１１として成型され、前記溝体１１がグラウンド６に埋設固定されて地這虫侵入防止装置２が構成される。
【００２１】
前記地這虫侵入防止溝１０の幅は、地這虫１が渡れず落ちてしまう値に設定される。また、深さ及び摩擦係数は、該地這虫侵入防止溝１０に落ちた地這虫１が、再び這い上がってくることができない値に設定される。即ち、該地這虫侵入防止溝１０の深さＤと上部開口部の幅Ｗ１はほぼ同じ長さでよい。これらの値は設置場所に分布する虫の種類によって変えることができる。多くの地這虫１は体長１５ｍｍ程度、或いはそれ以下であるので、幅Ｗ１及び深さＤは通常２０ｍｍ以上であれば足りるが、溝の上を通過する台車やフォークリフトの通行の妨げにならないよう、即ち、車輪が溝にはまったり通行時に段差が生じたりしないよう、上部開口部の幅Ｗ１は２０〜３０ｍｍであることが好ましい。
【００２２】
次に、本実施形態における地這虫侵入防止装置２の設置方法を、図３を用いて説明する。  
建物入口３前において、コンクリート等のグラウンド６を施工する場合、まず、前記グラウンド６の施工予定位置を掘削して均し、該グラウンド６の型枠（図示せず）を設置し、掘削して均された底面に捨てコンクリート１２を打設する。  
次に、前記捨てコンクリート１２上に、地這虫侵入防止溝１０が配置される位置に鉄筋棒のアンカー１３を打ち、アンカー１３に仮固定用鉄筋棒１４を溶接する。符号１５は溶接箇所を示す。地這虫侵入防止溝１０の溝体１１は、前記コンクリート等を打設した際に、該地這虫侵入防止溝１０の上部開口部がグラウンド６面に平らに位置するように、前記仮固定用鉄筋棒１４に溶接して仮固定される。  
続いて、コンクリート１６等を打設し、地這虫侵入防止溝１０がグラウンド６と一体となって、地這虫侵入防止装置２を構成する。
【００２３】
次に本発明の第１実施形態の作用効果を説明する。本発明によって、図１に示すように、地這虫１が地這虫侵入防止溝１０に到達した際には、前記地這虫１は入口３方向への進行を止めて方向を変えるため、該地這虫１の入口３への侵入が防止される。また、図４に示すように、地這虫１がそのまま地這虫侵入防止溝１０内に入った場合、地這虫１は該溝１０を上れなくなってしまうため、入口３には到達できない。
【００２４】
地這虫侵入防止溝１０の溝断面の形状が、図２のようなＵ字型であるものは、単純な形であるため成型し易く、低コストで準備できる。また、上部開口部の幅Ｗ１と底面の幅Ｗ２が同じであるため、上部から溝内部の視認性が良く、該溝１０内に異物があれば直ぐに気づきメンテナンスを行うことができる。
【００２５】
また、本発明の地這虫侵入防止装置２は主に屋外に設置されるため、風雨にさらされることになる。ステンレスは腐食に強く、錆び難いため、長期間の使用が可能である。また、ステンレス材を用いれば、一般的にその表面は平滑であるため、特別な加工を施さずとも地這虫１が滑り易い摩擦係数を有する溝として利用でき、安価に施工が可能である。ステンレスの表面は、地這虫1がより滑り易いよう、ヘアライン加工等を施していないものが好ましい。
【００２６】
図５及び図６は、本発明の第２実施形態の斜視図及び平面図である。第２実施形態において、第１実施形態と同一構成部分には同一符号を付し、その説明は省略する。グラウンド６と入口３に段差がある場合、入口３前にはスロープ１７等が設けられるが、本発明の第２実施形態では、地這虫侵入防止溝１０が前記スロープ１７に設けられ、入口３直前で効果的に地這虫１の侵入を防止することができる。
【００２７】
本実施の形態では、前記地這虫侵入防止溝１０は前記スロープ１７の全幅に渡って設けられ、該スロープ１７の側辺に到る連通溝１９を有している。該地這虫侵入防止溝１０には連通溝１９が溶接され、連通溝１９を含めて一連の溝体１１として構成されている。
【００２８】
また入口３から地這虫侵入防止溝１０までの距離Ｌ１及びＬ２（図６参照）は特に規定はしないが、Ｌ１は施工したスロープ１７の中程であって、入口から５０〜１００ｃｍの位置であることが好ましい。Ｌ２は入口際近傍であって、１０〜３０ｃｍであることが好ましい。
【００２９】
コンクリート等のスロープ１７に地這虫侵入防止装置２を設置する場合も、第１実施形態と同様に施工することができる。スロープ１７を設置する場合、グラウンド６と入口３との間には段差があるため、スロープ１７の施工予定位置の掘削は前記段差に応じて省くことができる。また、地這虫侵入防止溝１０をスロープ１７の斜面に設ける場合には、図７のように地這虫侵入防止溝１０の溝体１１も傾斜させ、コンクリート等を打設した際に、該地這虫侵入防止溝１０の上部開口部がグラウンド６面に平らに位置するように仮固定する。続いて、コンクリート１６等を打設し、地這虫侵入防止溝１０がスロープ１７と一体となって、地這虫侵入防止装置２を形成する。
【００３０】
本実施の形態によって、前記地這虫侵入防止溝１０に落ちた虫や該溝１０に溜まった塵埃を、スロープ１７の両側辺１８に到る連通溝１９からほうき等で掻き出し、容易にメンテナンスを行うことができる。また、雨が降っても連通溝１９から水が速やかに排出され、溝に水が溜まることがない。
【００３１】
地這虫侵入防止溝１０は、図６のように直線の溝で入口を囲ったものであれば施工が容易であるが、図８のように曲線や円弧を含む形状にも形成することができる。
【００３２】
地這虫侵入防止溝１０の溝断面の形状が、図９のようなＵ字型で、上部開口部の幅Ｗ１が溝底面部の幅Ｗ２よりも狭まっているもの、即ちＷ１＜Ｗ２であるものは、該溝１０に地這虫１が落ちた場合、地這虫１が這い上がるためにオーバーハングしている面を上らなければならないので、落ちた地這虫１が再び上ってくることがより困難となる。また、溝の形はＵ字型と同様単純なので、溝体１１の成型も容易である。更に、上部開口部の幅Ｗ１が溝底面部の幅Ｗ２より狭まっているため、溝体１１をコンクリート１６に埋設した際に開口部より幅広な底面部がアンカーとなって、コンクリートから外れにくい。  
また、上部開口部の幅Ｗ１は２０〜３０ｍｍであることが好ましく、溝底面部の幅Ｗ２はＷ１＋１０〜１５ｍｍであることが好ましい。
【００３３】
地這虫侵入防止溝１０の溝断面の形状は、地這虫１が渡れず、且つ溝に落ちた場合に上れない形であれば他の形状でも良いが、コスト、施工及びメンテナンスのし易さ等を考慮すると図２及び図９のような形状が適している。
【００３４】
また、本実施形態ではスロープ１７に地這虫侵入防止溝１０が設けられた例を示したが、入口３前のステップ等にも本発明を適用できる。
【図面の簡単な説明】
【００３５】
【図１】本発明の第１実施形態に係る地這虫侵入防止装置の斜視図である。
【図２】本発明の同地這虫侵入防止溝の断面図である。
【図３】平面における地這虫侵入防止装置の施工法の断面図である。
【図４】地這虫が地這虫侵入防止溝によって進行を妨げられる様子を示した作用説明図である。
【図５】本発明の第２実施形態に係る地這虫侵入防止装置の斜視図である。
【図６】本発明の同地這虫侵入防止装置の平面図である。
【図７】斜面における地這虫侵入防止装置の施工法の断面図である。
【図８】本発明の第３実施形態に係る地這虫侵入防止装置の一例の平面図である。
【図９】本発明の地這虫侵入防止溝の他の例を示す断面図である。
【図１０】建物入口からの虫の侵入経路を示した従来の入口を示す縦断面図である。
【符号の説明】
【００３６】
１  地這虫、２  地這虫侵入防止装置、３  入口、４  シャッター、５  下部隙間
６  グラウンド、７  飛翔虫、８  上部隙間、９  捕虫器・捕虫灯
１０  地這虫侵入防止溝、１１  溝体、１２  捨てコンクリート、１３  アンカー
１４  仮固定用鉄筋棒、１５  溶接部、１６  コンクリート、１７  スロープ
１８  側辺、１９  連通溝
【図１】
2006296323.tif 000003
【図２】
2006296323.tif 000004
【図３】
2006296323.tif 000005
【図４】
2006296323.tif 000006
【図５】
2006296323.tif 000007
【図６】
2006296323.tif 000008
【図７】
2006296323.tif 000009
【図８】
2006296323.tif 000010
【図９】
2006296323.tif 000011
【図１０】
2006296323.tif 000012